(57)【要約】      （修正有）【課題】携帯電話やペットボトル等を収納する小物入れであって、その収納する小物の大きさに応じて小物入れ全体を縮小或いは伸張することができ、且つ縮小した際にその内部の折り畳みを容易に且つ正確に行いうると共に、厚み方向に変形可能にして、かさばらない小物入れとすること。【解決手段】有底の筒状または袋状に形成され、中間部両側から下方にＵ字状に第１縁部４を形成し、背面側に逆Ｕ字状に斜めに第２縁部５を形成し、第１縁部４と第２縁部５とが互いに接するようにファスナ６により係脱自在に止着する。【選択図】図３
0003104446.tif 000002
【実用新案登録請求の範囲】
【請求項１】
折り畳み可能な布等のシート状の可撓性材料よりなり、上部に開口(1) を有する有底の筒状に形成された小物入れにおいて、
中間部両側の一対の始点(2) (3) から夫々下方へ伸び、下端縁でＵ字状に形成される第１縁部(4) と、
前記一対の始点(2) (3) から、夫々背面側に斜め上方に伸び背面で逆Ｕ字状に形成される第２縁部(5) とを有し、
下部が内側に折り畳み可能に形成されて、その折り畳みの際に第１縁部(4) と第２縁部(5) とが接し、その折り畳み状態を係脱自在なファスナ(6) で止着できるように構成された小物入れ。
【請求項２】
請求項１において、
前記ファスナ(6) がジッパーよりなり、そのジッパーのプルタブ(10)の移動により前記一方の始点(2) から他方の始点(3) に下部が伸縮自在に形成される小物入れ。
【請求項３】
請求項１において、
前記ファスナ(6) が面ファスナよりなる小物入れ。
【請求項４】
請求項１〜請求項３のいずれかにおいて、
前記折り畳みの際に、前記第１縁部(4) と第２縁部(5) との間が、断面Ｕ字状に折り返される折返し畳重部(7) を形成する小物入れ。
【請求項５】
請求項４において、
前記折返し畳重部(7) の縁部に、その畳重部(7) より短い断面Ｕ字状の小畳重部(8) が連続した小物入れ。
【考案の詳細な説明】
【技術分野】
【０００１】
本考案は、携帯電話やペットボトル等を収納する布等の可撓性材料よりなる小物入れであって、収納する小物の大きさに応じて伸縮し、その状態を保持することができるものに関する。
【背景技術】
【０００２】
従来のペットボトル等の収納カバーは、保温または保冷用の発泡スチロールからなる筒状のものと、布材からなる可撓性のものとがある。可撓性材料からなるものは下記特許文献に記載されている。これらは何れも熱伝導率の低い繊維を用いた織布または不織布により袋状に形成し、その少なくても上段部をファスナで開閉自在に形成したものである。
【０００３】
【特許文献１】特開２００２−３０６２２６号公報
【特許文献２】特開２００２−０５３１３４号公報
【考案の開示】
【考案が解決しようとする課題】
【０００４】
上記のペットボトル等の小物を収納するカバーは、ある大きさのペットボトルに整合するように形成されている。しかしながら、市販のペットボトルの大きさは各種のものが存在すると共に、ペットボトル以外のより小さな小物を入れる場合には、袋自体が嵩張る欠点がある。
そこで本考案は、布等のシート材で形成された小物入れであって、それ自体の大きさを伸縮自在とすると共に、それを小さくした場合には、その小物入れをよりコンパクトにすることができるものを提供することを課題とする。
【課題を解決するための手段】
【０００５】
請求項１に記載の本考案は、折り畳み可能な布等のシート状の可撓性材料よりなり、上部に開口(1) を有する有底の筒状に形成された小物入れにおいて、
中間部両側の一対の始点(2) (3) から夫々下方へ伸び、下端縁でＵ字状に形成される第１縁部(4) と、
前記一対の始点(2) (3) から、夫々背面側に斜め上方に伸び背面で逆Ｕ字状に形成される第２縁部(5) とを有し、
下部が内側に折り畳み可能に形成されて、その折り畳みの際に第１縁部(4) と第２縁部(5) とが接し、その折り畳み状態を係脱自在なファスナ(6) で止着できるように構成された小物入れである。
【０００６】
請求項２に記載の本考案は、請求項１において、
前記ファスナ(6) がジッパーよりなり、そのジッパーのプルタブ(10)の移動により前記一方の始点(2) から他方の始点(3) に下部が伸縮自在に形成される小物入れである。
請求項３に記載の本考案は、請求項１において、
前記ファスナ(6) が面ファスナよりなる小物入れである。
【０００７】
請求項４に記載の本考案は、請求項１〜請求項３のいずれかにおいて、
前記折り畳みの際に、前記第１縁部(4) と第２縁部(5) との間が、断面Ｕ字状に折り返される折返し畳重部(7) を形成する小物入れである。
請求項５に記載の本考案は、請求項４において、
前記折返し畳重部(7) の縁部に、その畳重部(7) より短い断面Ｕ字状の小畳重部(8) が連続した小物入れである。
【考案の効果】
【０００８】
本考案の小物入れは、有底の筒状に形成されたものにおいて、その中間部両側一対の始点２，３から下方にＵ字状に形成される第１縁部４と、その背面側に斜め上方に延びる逆Ｕ字状の第２縁部５とを有し、第１縁部４と第２縁部５とが互いに接するように、下部が内側へ斜めに折り畳み可能となるものである。そのため、その折り畳み状態で、厚み方向に容易に圧縮することができ、縮小状態の小物入れをコンパクトなものとすることができる。それにより持ち歩きやすく、嵩張らない小物入れとなりうる。
上記構成において、ファスナ６をジッパーにより形成し、そのジッパーのプルタブの移動により、一方の始点２から他方の始点３に、下部を伸縮自在に形成することができる。それにより、小物入れの伸縮を極めて容易に行い、取り扱い易いものとなりうる。
【０００９】
上記構成において、ファスナ６を面ファスナにより形成することができる。この場合には、僅かの面ファスナで足りる。
上記構成において、小物入れを縮小するために折り畳むとき、第１縁部４と第２縁部５との間を、断面Ｕ字状の折り返し畳重部７とすることができる。それにより、整然とした折り畳み部を形成し、小物入れを縮小した状態の内部空間を広く形成できる。
上記構成において、畳重部７より短い断面Ｕ字状の小畳重部８を、畳重部７の縁部に連続形成できる。それにより、被折畳み部を無理なくコンパクトに折り畳むことができる。
【考案を実施するための最良の形態】
【００１０】
次に、図面に基づいて本考案の実施の形態につき説明する。
図１は本考案の小物入れであって、下部を引き伸ばした状態を示す正面側斜視図であり、図２はその裏面側斜視図である。また、図３はその小物入れを折り畳む途中状態を示す裏面側斜視図であり、図４はそれを折り畳んで且つファスナ６によって、その下部を止着した状態を示す斜視図である。また、図５は図４の正面側斜視図であり、図６は図５の断面略図である。
この小物入れは一例として、ペットボトルや携帯電話を自在に収納することができるものである。収納するペットボトルが比較的大きい場合には、図１，図２の如く、その下部を引き伸ばして使用し、携帯電話の如く、収納物の長さが短く薄いものについては図３〜図６の如く、小物入れを折り畳んでコンパクトに収納できるものである。
【００１１】
これら図において、小物入れは折りたたみ可能な布等のシート状の可撓性材料からなり、上部に開口１を有し、全体として有底の筒状に形成されたものである。そして上部には、開閉自在な第１のファスナ６がその正面中央に形成されている。このファスナ６はジッパーよりなり、開閉部の両縁に一対のジッパーテープ12が縫製され、そのそれぞれのジッパーテープ12の縁部に多数のティース13が並列されている。そして、スライド11にプルタブ10が吊り下げられている。そのプルタブ10を上下動することにより、ファスナ６が開閉するものである。
【００１２】
なおこの例では、その上部は袖なしフード付きの人形用等の服をペットボトル17の上半部に整合する形に形成し、袖なしの開口部分は布材で閉塞されている。またその下部は、袋状に形成されている。そして上半部および下部正面側にはカバー材18が被覆され、そのカバー材18内面および下部背面側には複数の布の積層帯からなる断熱層が設けられている。そして、中間部両側の一対の始点２，３から下方にＵ字状に第１縁部４が形成されている。また、一対の始点２，３から背面側に斜め上方へ連続する逆Ｕ字状の第２縁部５が形成されている。そして、第１縁部４と第２縁部５とが互いに接するように、それらの間に存在する被折畳み部14が折り畳まれる。そして、第１縁部４，第２縁部５間に設けられたジッパーからなるファスナ６を開閉することにより図１，図２の状態と図３〜図６の状態とのいずれか一方をとる。
【００１３】
即ち、第１縁部４と第２縁部５とに夫々、ジッパーテープ12が設けられ、この例では始点２にスライド11を介してプルタブ10が接続されている。そして、プルタブ10を図１において引っ張ることにより、第１縁部４と第２縁部５とが閉塞し、被折畳み部14が図６の如く折り畳まれる。その折り畳まれた状態では、図１における被折畳み部14が断面Ｕ字状に重ね合わされると共に、その縁部に畳重部７より短い断面Ｕ字状の小畳重部８が連続する。このように畳重部７，小畳重部８が斜めに折り畳まれると共に、第１縁部４，第２縁部５が互いに接触し、それが背面側で逆Ｕ字状に形成されることにより、小物入れ全体を厚み方向に容易に圧縮することができる。それにより嵩張らない小物入れとなる。
【００１４】
このような状態では一例として、折り畳まれた携帯電話16を内部に収納することができる。そして、それ全体をポケット等に入れても厚み方向に嵩張ることなく、全体がポケットに馴染んで圧縮できる。なお、その状態で小さなペットボトル17を収納することもできる。
次に、比較的長めのペットボトル17等を収納するときは、プルタブ10を介してスライド11を移動して、全体を伸長することにより、図１および図２の状態にすることができる。そして、上部のファスナ６を開放しペットボトル17を収納し、上部のファスナ６を閉塞することによりペットボトル17を保温または保冷状態にできる。なお、この例では、小物入れの背面には吊り部９が突設されている。この吊り部９に紐等を掛けることにより、小物入れをぶら下げることができる。
【００１５】
次に、図７は本考案の小物入れの第２の実施の形態を示し、そのファスナ６を閉じた状態を示す。この例では、小物入れの上部が人形の半袖シャツ型に形成されている。またその正面側には、飾りボタン19が設けられ、その前あきの重ね部には図１同様のファスナ６が設けられている。この例と図１〜図６の例との違いは、上半部のデザインである。その他は、前記実施の形態と同一である。
【図面の簡単な説明】
【００１６】
【図１】本考案の小物入れの正面斜視図であって、全体を引き伸ばした状態を示す。
【図２】同小物入れの背面側斜視図。
【図３】同小物入れの下半部を折り畳む状態を示す説明図。
【図４】同小物入れを折り畳むと共に、ファスナ６によってその部分を閉塞した状態を示す説明図。
【００１７】
【図５】同小物入れの閉塞状態の正面側斜視図。
【図６】同小物入れの縦断面略図。
【図７】本考案の第２の小物入れの正面図であって、ファスナ６を閉塞した状態を示す説明図。
【図８】同小物入れの襟の開き部分を示す説明図。
【符号の説明】
【００１８】
１  開口
２  始点
３  始点
４  第１縁部
５  第２縁部
６  ファスナ
７  畳重部
８  小畳重部
９  吊り部
10  プルタブ
【００１９】
11  スライド
12  ジッパーテープ
13  ティース
14  被折畳み部
15  帽子部
16  携帯電話
17  ペットボトル
18  カバー材
19  飾りボタン
【図１】
0003104446.tif 000003
【図２】
0003104446.tif 000004
【図３】
0003104446.tif 000005
【図４】
0003104446.tif 000006
【図５】
0003104446.tif 000007
【図６】
0003104446.tif 000008
【図７】
0003104446.tif 000009
【図８】
0003104446.tif 000010